(57)【要約】【解決手段】本発明は、ユーザが現在閲覧しているウェブサイト又はユーザが訪問を考え得るウェブサイトのいずれかに関するプレビュー情報をユーザに表示するための方法を説明する。本発明は、ユーザにウェブリンクを表示し、トリガイベントを検出するように構成できる。更に本発明は、ユーザインタフェースで一旦、トリガイベントが検出されると、プレビュー情報をリトリーブし、ユーザに表示するように構成できる。【選択図】図３
2009518699.tif 000002
【特許請求の範囲】
【請求項１】
ウェブサイトに関する情報をプレビュー表示するための方法であって、
第１の部分にウェブリンクを表示するステップと、
トリガイベントを検出するステップと、
前記ウェブリンクに対応する複数のデータ項目を集約するステップと、
前記第１の部分に前記ウェブリンクを保持する間、第２の部分に前記複数のデータ項目を表示するステップであって、前記第２の部分が、前記第１の部分のいかなる視認可能な領域も妨げないものと、を含む方法。
【請求項２】
前記トリガイベントが、前記ウェブリンクにアクセスするステップを含むことを特徴とする請求項１記載の方法。
【請求項３】
前記ウェブリンクが、検索リクエストに対応する検索結果ページに含まれることを特徴とする請求項１記載の方法。
【請求項４】
前記複数のデータ項目が、前記ウェブリンクに対応するウェブサイトの特徴を説明する情報を含むことを特徴とする請求項１記載の方法。
【請求項５】
第１のソースに対応する前記ウェブリンク及び前記データ項目が、少なくとも１つの第２のソースから集約されることを特徴とする請求項１記載の方法。
【請求項６】
前記複数のデータ項目が、複数のソースから集約されることを特徴とする請求項１記載の方法。
【請求項７】
更に、現在表示されているウェブサイトの特徴を説明する複数のデータ項目を集約し、表示するためのモードに切り替えるステップを含む請求項１記載の方法。
【請求項８】
ウェブサイトに関するプレビュー情報を送信するための方法が、
第１の部分にウェブリンクを表示するステップと、
トリガイベントを検出するステップと、
複数のデータ項目のインデックスに接続するステップであって、前記複数のデータ項目が１つ以上のソースから蓄積されるものと、
前記複数のデータ項目からデータ項目のサブセットを集約するステップであって、前記データ項目のサブセットが、前記ウェブリンクに対応するものと、
前記第１の部分の前記ウェブリンクを保持する間、第２の部分にデータ項目のサブセットを表示するステップであって、前記第２の部分が、前記第１の部分のいかなる視認可能な領域も妨げないものと、を含む方法。
【請求項９】
前記ウェブリンクが、検索リクエストに対応する検索結果ページに含まれることを特徴とする請求項８記載の方法。
【請求項１０】
前記インデックスが、検索エンジンによって生成されることを特徴とする請求項８記載の方法。
【請求項１１】
前記データ項目のサブセットが、前記ウェブリンクに対応するウェブサイトの特徴を説明する情報を含むことを特徴とする請求項８記載の方法。
【請求項１２】
更に、現在表示されているウェブサイトの特徴を説明する複数のデータ項目を集約し、表示するためのモードに切り替えるステップを含む請求項８記載の方法。
【請求項１３】
前記ウェブサイトが、第１のソースに対応し、前記データ項目のサブセットが、少なくとも１つの第２のソースから蓄積されることを特徴とする請求項８記載の方法。
【請求項１４】
ウェブサイトに関するプレビュー情報を表示するための方法を処理する命令を有する、計算機可読メディアであって、前記方法が、
第１の部分にウェブリンクを表示するステップと、
トリガイベントを検出するステップと、
前記ウェブリンクに対応する複数のデータ項目を集約するステップと、
第１の部分に前記ウェブリンクを保持する間、第２の部分に前記複数のデータ項目を表示するステップであって、前記第２の部分が、前記第１の部分のいかなる視認可能な領域も妨げないものと、を含む計算機可読メディア。
【請求項１５】
前記トリガイベントが、前記ウェブリンクにアクセスするステップを含むことを特徴とする請求項１４記載の計算機可読メディア。
【請求項１６】
前記ウェブリンクが、検索リクエストに対応する検索結果ページに含まれることを特徴とする請求項１４記載の計算機可読メディア。
【請求項１７】
前記複数のデータ項目が、前記ウェブリンクに対応するウェブサイトの特徴を説明する情報を含むことを特徴とする請求項１４記載の計算機可読メディア。
【請求項１８】
前記ウェブリンクが、第１のソースに対応し、前記データ項目が、少なくとも１つの第２のソースから集約されることを特徴とする請求項１４記載の計算機可読メディア。
【請求項１９】
前記複数のデータ項目が、複数のソースから集約されることを特徴とする請求項１４記載の計算機可読メディア。
【請求項２０】
更に、現在表示されているウェブサイトの特徴を説明する複数のデータ項目を集約し、表示するためのモードに切り替えることを含む請求項１４記載の計算機可読メディア。
【発明の詳細な説明】
【背景技術】
【０００１】
インターネットを閲覧しているユーザは、彼らが現在訪問しているウェブサイト又は彼らが訪問を考え得るウェブサイト、について判断する必要があり得る。ウェブサイトが信頼できるものか、ウェブサイトが最新のものか、ウェブサイトが必要とされる任意の情報に関連しているか、ウェブ上にポップアップ広告又はマルウェアがあるかをユーザは知りたがり得る。インターネット検索エンジンは、そのような情報を提供できるソースであり得る。インターネット検索エンジンは、これらを評価する際にユーザに対して有用であり得るウェブサイトについての多様な情報を含むが、彼らのウェブ閲覧行動の即時的な文脈においてこの情報は、ユーザにとって容易に有効となり得ない。
【発明の開示】
【課題を解決するための手段】
【０００２】
本発明は、ウェブサイトに関するプレビュー情報を表示するためのシステム及び方法を開示する。本方法は、ウェブリンクを表示し、そのウェブリンクに対応するトリガイベントを検出することを含み得る。追加として、一旦トリガイベントが検出された場合、本方法はウェブリンクに対応する複数のデータ項目を集約することを含み得る。更に、本方法は複数のデータ項目を表示することを含み得る。
【０００３】
「発明を実施するための最良の形態」に更に後述される概念からの選択を、簡易化された形式で紹介するためにこの概要を提供する。この概要が、請求項記載対象の重要な特色又は本質的な特徴を特定することを意図せず、また援助として請求項記載対象の範囲を決定するときに使用されることも意図しない。
【発明を実施するための最良の形態】
【０００４】
本発明は、ウェブリンクに対応するウェブサイトに関するプレビュー情報を表示するために構成され得る。ユーザが訪問を考え得るウェブサイト又はユーザが現在閲覧しているウェブサイトに関するプレビュー情報を表示できる。プレビュー情報は、ウェブサイトに関する性能、信頼性、人気度及び他の任意の情報などのウェブサイトについての情報のあらゆる種類を含み得る。更に、プレビュー情報は、検索エンジンに対して有効か、又は検索エンジンによってインデックス付けされ得るウェブサイトに関する任意の情報、であり得る。プレビュー情報に対するリクエストを開始可能な任意のイベント、動作又は事象などのトリガイベントを検出したとき、プレビュー情報をユーザに表示できる。ユーザインタフェース（ＵＩ）上で見つかったアクセス可能な任意のウェブリンクに対するプレビュー情報を表示できる。トリガイベントの検出時、ＵＩの主表示部以外の分離された位置において、ユーザに対してプレビュー情報を表示できる。
【０００５】
図１は、本発明のシステムの一実施形態を例示する。クライアント（１０２）及びプロバイダ（１０４）は、ウェブの閲覧、検索、電子メール（ｅメール）及び他のタスク、アプリケーション及び機能を含む多様なタスクを実行するためのデスクトップ又はラップトップコンピュータ、ネットワーク可能携帯電話、無線電子メールクライアント又は他のクライアント、機器又は装置であり得るか又はそれらを含み得る。クライアント（１０２）及びプロバイダ（１０４）は、例えば、マイクロソフトのＷｉｎｄｏｗｓ（登録商標）、ＭａｃＯＳ（登録商標）、Ｕｎｉｘ（登録商標）、Ｌｉｎｕｘ、Ｘｅｎｉｘ、ＩＢＭのＡＩＸ（登録商標）、ヒューレット−パッカードのＵＸ（登録商標）、ノベルのＮｅｔｗａｒｅ（登録商標）、サン・マイクロシステムズのＳｏｌａｒｉｓ（登録商標）、ＯＳ／２（登録商標）、ＢｅＯＳ（登録商標）、Ｍａｃｈ、Ａｐａｃｈｅ、ＯｐｅｎＳｔｅｐ（登録商標）又は他のオペレーティングシステム又はプラットフォームを実行するワークステーションを含むサーバであり得るか又はこれを含み得る。クライアント（１０２）及びプロバイダ（１０４）は、追加としてデジタルスチールカメラ装置、デジタルビデオカメラなどの任意の携帯用メディア装置、個人向け音楽プレーヤ及び個人向けビデオプレーヤなどのメディアプレーヤ及び他の任意の携帯用メディア装置であり得る。
【０００６】
クライアント（１０２）及びプロバイダ（１０４）それぞれは、通信インタフェースを含み得る。通信インタフェースは、クライアントがプロバイダ（１０４）に直接に接続されることを可能にするか、又はクライアント（１０２）がネットワーク（１０８）を越えてプロバイダに接続されることを可能にする、インタフェースであり得る。ネットワーク（１０８）は、例えばローカルエリアネットワーク（ＬＡＮ）、広域ネットワーク（ＷＡＮ）又はインターネットを含み得る。一実施形態においては、ワイヤレスインタフェースを介し、プロバイダ（１０４）にクライアント（１０２）を接続できる。複数のプロバイダ（１０４）から複数のプレビュー情報を集約するようにクライアント（１０２）を構成できる。モニタ（１０６）上のユーザインタフェース（ＵＩ）に集約された情報を表示できる。モニタ（１０６）は外部コンポーネントであり得るか、あるいはまたモニタ（１０６）はクライアント（１０２）内部に統合され得る。
【０００７】
一実施形態においては、プロバイダ（１０４）は、インターネット上に見出される多数の情報をインデックス付けするための検索エンジンであり得る。別の実施形態においては、プロバイダ（１０４）は、外部探索エンジンに接続される第三者プロバイダであり得る。そのような実施形態においては、クライアント（１０２）は、プロバイダ（１０４）が検索エンジンからオリジナルとして受信する、プロバイダ（１０４）からのプレビュー情報を集約できる。
【０００８】
図２は、ＵＩ内部にプレビュー情報を表示するための方法の一実施形態を例示する。クライアントは、クライアントベースのコードを含むソフトウェアを導入することによって、プレビュー情報を表示するための機能性を取得できる。クライアントは、例えばウェブブラウザ、ツールバーの導入、又はブラウザと統合できる別の任意のプラグインの導入によって、プレビュー情報を表示する能力を取得できる。あるいはまたウェブサイトは、Ｊａｖａ（登録商標）スクリプトを利用することによって、ＵＩ内部にプレビュー情報を表示するための機能性を提供できる。検索結果ページの所有者は、例えばクライアントのＵＩ内のある部分に向かってロードされるためのＪａｖａ（登録商標）スクリプトを、プレビュー情報を可能にし得る検索結果ページに配置できる。ステップ（２０４）において、ＵＩ上でウェブリンクをユーザに表示できる。ウェブリンクを表示することは、ＵＩにおいてユーザによって見つけられ得る任意のアクセス可能なウェブリンクを表示することを含み得、制限される必要はないが、ウェブの閲覧において見つかったウェブリンク、検索結果ページ及び電子メールを含み得る。しかし、ユーザが現在閲覧しているウェブサイトに関するプレビュー情報を受信することにユーザの興味がある場合、ウェブリンクを表示することが必ずしも必要とはなり得ない。
【０００９】
導入されたソフトウェアは、ステップ（２０６）において、そのソフトウェアにプレビュー情報をリトリーブし表示させるトリガイベントを検出できる。トリガイベントは、プレビュー情報に対するリクエストを開始できる任意のイベント、動作又は事象であり得る。本発明は、ユーザが見つけたウェブリンクに対応するウェブサイトに関するプレビュー情報を表示するように構成され得、本発明は、ユーザが現在閲覧しているウェブサイトに関するプレビュー情報を表示するように構成され得る。ユーザがウェブリンクを見つけて、対応するそのウェブサイトに関するプレビュー情報のリトリーブを所望するときのトリガイベントは、ユーザがそのウェブリンクにアクセスすることを含み得る。そのようなトリガイベントは、例えばOnNavigateのようなソフトウェアイベントを生成するインターネットブラウザによって検出され得る。ウェブリンクにアクセスすることは、例えばウェブリンク上のマウスカーソルのホバリング、マウスカーソルを用いたアイコン上のホバリング又はマウスカーソルを用いるアイコンの選択、マウスカーソルを用いたウェブリンク選択の他の形式又はキーボードに入力される任意のタイプのキー組み合わせ、を含み得る。ハイパーリンクのONMOUSEOVERの特性を変更することによって、マウスのホバリング時のブラウザの挙動変更を達成できる。更に、ウェブリンクにアクセスすることは、ウェブリンクを参照できるクライアントに接続され得る外部装置への他の任意の入力コマンドを含み得る。例えば、ＵＩボタンを使用し、この入力コマンドを実現できる。ユーザが現在閲覧しているウェブサイトに関するプレビュー情報を、ユーザがリトリーブすることを所望するときのトリガイベントは、ユーザがプレビュー情報をリトリーブすることをソフトウェアに通知するオプションを選択することを含み得る。プレビュー情報をリトリーブすることをソフトウェアに通知するオプションの選択は、ユーザがＵＩ内部の指定された領域において、選択できることを含み得る。プレビュー情報をリトリーブすることをソフトウェアに通知するオプションの選択は更に、キーボードに入力されるキーの組み合わせ又はクライアントに接続できる外部装置への別の任意の入力コマンドを含み得る。
【００１０】
一旦、トリガイベントがソフトウェアによって検出されると、ステップ（２０８）において、ソフトウェアは、見つかったウェブリンクに対応するウェブサイト又はユーザが現在閲覧しているウェブサイトに関するプレビュー情報をリトリーブするためのプロバイダに接続できる。この接続は、例えばＨＴＴＰプロトコルを介し、実行され得る。プロバイダに接続するとき、言語のタイプ、ユーザ選択に基づいて所望される情報のタイプなど（ウェブサイト訪問の考え、検索結果の閲覧、現在のウェブサイト訪問、インスタントメッセージ会話のような）ユーザタスクから変化し得る文脈情報に従って、ソフトウェアはウェブリンクのＵＲＬを送信できる。プロバイダは、関連するプレビュー情報を検索し、クライアントに返すために、ソフトウェアによって与えられる情報を利用できる。
【００１１】
プロバイダは、例えば複数のウェブサイトに関する複数の情報をインデックス付け可能な検索エンジンであり得る。インデックス付けされた情報は、検索エンジンに有効な複数のソースから生じ得る。複数のソースは、ウェブリンクに対応するウェブサイトと、ユーザが現在閲覧しているウェブサイト及び他の任意の第三者アプリケーション又は別のウェブサイトに関する情報を提供できるウェブサイトと、を含み得る。代替として、プロバイダは、検索エンジンによってインデックス付けされた情報を提供するための検索エンジンに接続できる第三者であり得る。インデックス付けされた情報は、多数のウェブサイトの特徴を説明可能な複数のデータ項目を含み得る。クライアントからプロバイダに送信された情報に関連し得るデータ項目のサブセットは、逆にクライアントに送信されてユーザに表示される、プレビュー情報として使用され得る。複数のソースから取得できる情報があるので、ユーザが見つけたウェブリンク又はユーザが現在閲覧しているウェブサイトは、第１のソース、例えばウェブサイトに対応でき、そのプレビュー情報は、第１のソース以外の少なくとも１つの第２のソースから生じ得る。
【００１２】
プレビュー情報を含む複数のデータ項目は、有効であり得るか、又は検索エンジンによってインデックス付けされ得る、任意の情報を含み得る。データ項目は制限されないが、以下を含み得る：ウェブサイト上のコンテンツに関する最終変更日付、ウェブサイトについて人々が口にしていることに関する情報、リスクレート又はウェブサイトが既知のマルウェアディストリビュータか否か詳述する情報のようなウェブサイトの信頼性、ウェブサイトの支持率、ユーザをウェブサイトに導くポピュラーな検索クエリ、ウェブサイト上の新規又は更新されたページ、ウェブサイト上に存在するポップアップ広告又はマルウェア、ウェブサイトのページコンテンツのサムネイルプレビュー、検索キーワードの強調を有するウェブサイトのページ全体のサムネイル、、拡張されたページ抜粋及び文脈的な説明、ウェブサイトのブロックされたポップアップのサムネイルプレビュー、ウェブサイトに関連するコンテンツを有する別のウェブサイト、ウェブサイトに双方向リンクする別のウェブサイト、ウェブページがインターネット検索などを介し見出された場合の検索結果の組。
【００１３】
一旦、プロバイダがソフトウェアによって送信された情報に対応するプレビュー情報に関連する検索をすると、プロバイダは、クライアントにプレビュー情報を送信でき、ステップ（２１０）において、ソフトウェアは、クライアントに関する複数のデータ項目を含むプレビュー情報を集約できる。ステップ（２１２）において、クライアントは次に、ユーザのために複数のデータ項目をＵＩに表示できる。
【００１４】
図３は、ユーザが現在閲覧しているウェブサイトに関するプレビュー情報を表示するためのＵＩの一実施形態を例示する。ＵＩは、主表示部（３０２）及びプレビュー情報部（３０４）を含み得る。主表示部（３０２）は、ウェブ閲覧部、電子メール部、文書処理部、文書作成部又はプレビュー情報部（３０４）以外の別の任意の視認可能な部分を含み得る。プレビュー情報部（３０４）は、ユーザが現在閲覧しているウェブサイトに関するプレビュー情報のリストを含み得る。プレビュー情報は、ユーザが現在閲覧しているウェブサイトの特徴を説明可能な前記のような複数のデータ項目を含み得る。プレビュー情報部は更に、ユーザが現在閲覧しているウェブサイトに関するプレビュー情報を表示するための第１のモードとユーザが訪問を考え得るウェブサイトに関するプレビュー情報を表示するための第２のモードとの間をユーザが交換可能な選択メカニズム（３０６）を含み得る。図３に示されるように、「サイトスナップショット」モードは、ユーザが現在閲覧しているウェブサイトに関するプレビュー情報を表示するためのモードの一例であり得る。ユーザがそのようなモードを選択したとき、プレビュー情報は、ユーザが現在閲覧している任意のウェブサイトに関してリトリーブされてプレビュー情報部（３０４）に表示され得る。
【００１５】
一実施形態においては、主表示部（３０２）から分離できるウィンドウ枠（ペイン：pane）にプレビュー情報部（３０４）を表示できる。図３に示されるように、主表示部（３０２）の左側にドッキングされた左ウィンドウ枠にプレビュー情報部を表示、又は主表示部（３０２）の右側にドッキングされた右ウィンドウ枠にプレビュー情報部を表示できる。代替として、主表示部（３０２）の上部にあるウィンドウ枠にプレビュー情報を表示又は主表示部（３０２）の下部にあるウィンドウ枠にプレビュー情報部を表示できる。ウィンドウ枠を利用するそのような実施形態においては、主表示部を保持する間、主表示部のいかなる視認可能な領域も妨げない方法でウィンドウ枠をＵＩに表示できる。視認可能領域は、任意のタイプのマルチメディア情報を表示可能な主表示部上の任意の領域であり得る。視認可能領域は、マルチメディア情報を現在表示している任意の領域を含み得る。視認可能領域はまた、マルチメディア情報を現在表示していないが、マルチメディア情報を表示可能な任意の領域も含み得る。別の実施形態においては、プレビュー情報部（３０４）は、主表示部（３０２）の左側、右側、上方又は下方に存在し得るピン止めされたタブディスプレイに表示され得る。ピン止めされたタブディスプレイは、ユーザによるウェブサイト閲覧によって主表示部（３０２）と同様となり得る機能的な閲覧部であり得る。更に、別の実施形態においては、ＵＩの任意の領域に表示され得るポップアップウィンドウにプレビュー情報部（３０４）を表示できる。
【００１６】
図４は、見つかったウェブリンク上においてトリガイベントを実行することによって、ユーザが訪問を考え得るウェブサイトに関するプレビュー情報を表示するためのＵＩの一実施形態を例示する。本ＵＩは、主表示部（４０２）及びプレビュー情報部（４０４）を含み得る。主表示部（４０２）は、ウェブ閲覧部、電子メール部、文書処理部、文書生成部又はプレビュー表示部（４０４）以外の別の任意の視認可能な領域を含み得る。プレビュー情報部（４０４）は、ユーザが訪問を考え得るウェブサイトに関するプレビュー情報のリストを含み得る。プレビュー情報は、ユーザが訪問を考え得るウェブサイトの特徴を説明可能な前述のような複数のデータ項目を含み得る。プレビュー情報部は更に、ユーザが現在閲覧しているウェブサイトに関するプレビュー情報を表示するための第１のモードとユーザが訪問を考え得るウェブサイトに関するプレビュー情報を表示するための第２のモードとの間をユーザが交換可能な選択メカニズム（４０６）を含み得る。
【００１７】
図４に示されるように、「サイトプレビュー」モードは、ユーザが訪問を考え得るウェブサイトに関するプレビュー情報を表示するためのモードの一例であり得る。ユーザがそのようなモードを選択したとき、プレビュー情報は、ユーザが見つけたウェブリンクに対するトリガイベントが検出されると、リトリーブされてプレビュー情報部に表示され得る。図４に示されるように、例えばトリガイベント（４０８）は、ユーザがマウスカーソルを用いてウェブリンクｗｗｗ．ｎｆｌ．ｃｏｍ上で動かす（ホバリングする）ことを含み得る。一旦、トリガイベントが検出されると、そのウェブリンクに対応するウェブサイトに関するプレビュー情報をプレビュー情報部（４０４）に表示できる。
【００１８】
図４はまた、検索結果ページに含まれる、見つかったウェブリンクに対応するウェブサイトに関するプレビュー情報を表示するための一実施形態を例示する。図４に示されるように、主表示部において見つかったウェブリンクは、検索用語（４１０）から導出可能な検索クエリに対応し得る。ユーザが検索クエリに対応するウェブリンク上においてトリガイベントを起動したとき、そのウェブリンクに関連づけられ得るウェブサイトに関するプレビュー情報をプレビュー情報部（４０４）に表示できる。
【００１９】
一実施形態においては、主表示部（４０２）から分離できるウィンドウ枠にプレビュー情報部（４０４）を表示できる。図４に示されるように、主表示部（４０２）の左側にドッキングされた左ウィンドウ枠にプレビュー情報部を表示、又は主表示部（４０２）の右側にドッキングされた右ウィンドウ枠にプレビュー情報部を表示できる。代替として、主表示部（４０２）の上部にあるウィンドウ枠にプレビュー情報を表示又は主表示部（４０２）の下部にあるウィンドウ枠にプレビュー情報部を表示できる。ウィンドウ枠を利用するそのような実施形態においては、主表示部にウェブリンクを保持する間、主表示部のいかなる視認可能な領域も妨げない方法でウィンドウ枠をＵＩに表示できる。視認可能領域は、任意のタイプのマルチメディア情報を表示可能な主表示部上の任意の領域であり得る。視認可能領域は、マルチメディア情報を現在表示している任意の領域を含み得る。視認可能領域はまた、マルチメディア情報を現在表示していないが、マルチメディア情報を表示可能な任意の領域を含み得る。別の実施形態においては、プレビュー情報部（４０４）は、主表示部（４０２）の左側、右側、上部又は下部に存在し得るピン止めされたタブディスプレイに表示され得る。ピン止めされたタブディスプレイは、ユーザによるウェブサイト閲覧によって主表示部（４０２）と同様となり得る機能的な閲覧部であり得る。更に、別の実施形態においては、ＵＩの任意の領域に表示され得るポップアップウィンドウにプレビュー情報部（４０４）を表示できる。
【００２０】
本発明の特定の実施例が本明細書に詳細に例示され、記載されたが、本発明の範囲と意図から逸脱せずに様々な変更及び修正を本発明に行うことができることを理解すべきである。本明細書に記載の実施形態は、制限的というよりむしろ、あらゆる点において例示的であることが意図されている。本発明がその範囲から逸脱せずに代替の実施形態に関連することは、当業者にとっては明らかだろう。
【図面の簡単な説明】
【００２１】
【図１】本発明のシステムの一実施形態を例示する。
【図２】ユーザインターフェース（ＵＩ）にプレビュー情報を表示するための方法の一実施形態を例示する。
【図３】ユーザが現在閲覧しているウェブサイトに関するプレビュー情報を表示するためのＵＩの一実施形態を例示する。
【図４】ユーザが訪問を考え得るウェブサイトに関するプレビュー情報を表示するためのＵＩの一実施形態を例示する。
【図１】
2009518699.tif 000003
【図２】
2009518699.tif 000004
【図３】
2009518699.tif 000005
【図４】
2009518699.tif 000006
【国際調査報告】
2009518699.tif 000007
2009518699.tif 000008